(57)【要約】【課題】室内温度センサ異常発生時の応急運転における使用者の不快感を低減させる。【解決手段】ステップ２０６，２０７，２０８で温度設定と置換後の室内温度とを比較し、ステップ２０９，２１０，２１１，２１２で決定した圧縮機回転数に従って圧縮機を運転するため、リモコンの設定により応急運転中の圧縮機回転数を変更することが可能となり、使用者の温度設定に合わせた相対的な室内温度調節によって応急運転中の快適性を向上させることができる。【選択図】図２
2006292242.tif 000002
【特許請求の範囲】
【請求項１】
プログラムされたマイコンによって空気調和機を制御する装置であって、室内温度センサの異常を検知する室内温度センサ異常検知手段と、前記室内温度センサ異常検知手段で異常を検知したときに運転を停止する異常停止手段と、前記室内温度センサ異常検知手段で異常を検知したことを表示する室内温度センサ異常表示手段と、前記異常停止手段で運転を停止したときに入力を受け付けて応急運転の開始を判定する応急運転開始判定手段と、前記応急運転開始判定手段で入力を検知して応急運転開始と判定したときに室内温度センサの検出温度を所定温度に置き換える室内温度置換手段と、リモコンの温度設定に応じて応急運転中の圧縮機回転数を決定する圧縮機回転数決定手段とを備えたことを特徴とする空気調和機制御装置。
【請求項２】
プログラムされたマイコンによって空気調和機を制御する方法であって、室内温度センサの異常を検知する室内温度センサ異常検知手順と、前記室内温度センサ異常検知手順で異常を検知したときに運転を停止する異常停止手順と、前記室内温度センサ異常検知手順で異常を検知したことを表示する室内温度センサ異常表示手順と、前記異常停止手順で運転を停止したときに入力を受け付けて応急運転の開始を判定する応急運転開始判定手順と、前記応急運転開始判定手順で入力を検知して応急運転開始と判定したときに室内温度センサの検出温度を所定温度に置き換える室内温度置換手順と、リモコンの温度設定に応じて応急運転中の圧縮機回転数を決定する圧縮機回転数決定手順とを含むことを特徴とする空気調和機制御方法。
【請求項３】
マイコンによって空気調和機を制御するためのプログラムを記録した媒体であって、室内温度センサの異常を検知する室内温度センサ異常検知ステップと、前記室内温度センサ異常検知ステップで異常を検知したときに運転を停止する異常停止ステップと、前記室内温度センサ異常検知ステップで異常を検知したことを表示する室内温度センサ異常表示ステップと、前記異常停止ステップで運転を停止したときに入力を受け付けて応急運転の開始を判定する応急運転開始判定ステップと、前記応急運転開始判定ステップで入力を検知して応急運転開始と判定したときに室内温度センサの検出温度を所定温度に置き換える室内温度置換ステップと、リモコンの温度設定に応じて応急運転中の圧縮機回転数を決定する圧縮機回転数決定ステップとを有することを特徴とする空気調和機制御プログラムを記録した記録媒体。
【発明の詳細な説明】
【技術分野】
【０００１】
本発明は、プログラムされたマイコンによって空気調和機を制御する装置に関するものである。
【背景技術】
【０００２】
従来、この種の空気調和機の制御装置としては、室内温度センサの異常を検知して運転を停止した後に、応急運転スイッチの入力を受け付けると、室内温度センサの検出温度を所定温度に置き換えて、応急的な運転を可能とするものがあった（例えば、特許文献１参照）。
【０００３】
図３は特許文献１に記載された従来の空気調和機制御装置のマイコンが実行するプログラムのフローチャートを示すものである。図３において、ステップ３０１で室内温度センサの異常を検知すると、ステップ３０２で運転を停止し、ステップ３０３で室内温度センサが異常であることを表示する。その後、ステップ３０４で応急運転スイッチの入力を検知すると、ステップ３０５で室内温度を所定温度に置き換えて応急運転を開始していた。
【特許文献１】特開平５−１８７６８３号公報
【発明の開示】
【発明が解決しようとする課題】
【０００４】
しかしながら、前記従来の構成では、室内温度センサ異常発生時に応急運転を開始すると、使用者が運転を停止しない限り、室内温度の調節が全くできない状態での運転が無制限に継続することとなる。このため、冷房運転中であれば使用者が不快に感じるまでに室内温度が下がることがあった。
【０００５】
本発明は、上記従来の課題を解決するもので、室内温度センサ異常発生時の応急運転における使用者の不快感を低減させた空気調和機制御装置および空気調和機制御方法ならびに空気調和機制御プログラムを記録した記録媒体の提供を目的とする。
【課題を解決するための手段】
【０００６】
前記従来の課題を解決するために、本発明の空気調和機制御装置は、リモコンの温度設定に応じて応急運転中の圧縮機回転数を決定する圧縮機回転数決定手段を設けたものであり、上記手段はプログラムされたマイコンにより実現するものである。
【０００７】
また、本発明の空気調和機制御方法は、リモコンの温度設定に応じて応急運転中の圧縮機回転数を決定する圧縮機回転数決定手順を設けたものであり、上記手順はプログラムされたマイコンにより実現するものである。
【０００８】
また、本発明の空気調和機制御プログラムを記録した記録媒体は、リモコンの温度設定に応じて応急運転中の圧縮機回転数を決定する圧縮機回転数決定ステップを記録したものであり、上記ステップはプログラムされたマイコンによって実行されるものである。
【０００９】
これによって、使用者の温度設定に合わせて応急運転中の圧縮機回転数を変更することができ、相対的な室内温度の調節ができる。
【発明の効果】
【００１０】
本発明の空気調和機制御装置および空気調和機制御方法ならびに空気調和機制御プログ
ラムを記録した記録媒体は、室内温度センサ異常発生時の応急運転における使用者の不快感を低減させることができる。
【発明を実施するための最良の形態】
【００１１】
第１の発明は、プログラムされたマイコンによって空気調和機を制御する装置であって、室内温度センサの異常を検知する室内温度センサ異常検知手段と、室内温度センサ異常検知手段で異常を検知したときに運転を停止する異常停止手段と、室内温度センサ異常検知手段で異常を検知したことを表示する室内温度センサ異常表示手段と、異常停止手段で運転を停止したときに入力を受け付けて応急運転の開始を判定する応急運転開始判定手段と、応急運転開始判定手段で入力を検知して応急運転開始と判定したときに室内温度センサの検出温度を所定温度に置き換える室内温度置換手段と、リモコンの温度設定に応じて応急運転中の圧縮機回転数を決定する圧縮機回転数決定手段とを備えたことにより、室内温度センサ異常発生時に、運転を停止して異常表示を行った後に、スイッチ等の入力により室内温度センサの検出温度を所定の温度に置き換えて応急運転を開始するとともに、リモコンの設定により応急運転中の圧縮機回転数を変更することが可能となり、使用者の温度設定に合わせた相対的な室内温度調節によって応急運転中の快適性を向上させることができる。
【００１２】
第２の発明は、プログラムされたマイコンによって空気調和機を制御する方法であって、室内温度センサの異常を検知する室内温度センサ異常検知手順と、室内温度センサ異常検知手順で異常を検知したときに運転を停止する異常停止手順と、室内温度センサ異常検知手順で異常を検知したことを表示する室内温度センサ異常表示手順と、異常停止手順で運転を停止したときに入力を受け付けて応急運転の開始を判定する応急運転開始判定手順と、応急運転開始判定手順で入力を検知して応急運転開始と判定したときに室内温度センサの検出温度を所定温度に置き換える室内温度置換手順と、リモコンの温度設定に応じて応急運転中の圧縮機回転数を決定する圧縮機回転数決定手順とを含むことにより、室内温度センサ異常発生時に、運転を停止して異常表示を行った後に、スイッチ等の入力により室内温度センサの検出温度を所定の温度に置き換えて応急運転を開始するとともに、リモコンの設定により応急運転中の圧縮機回転数を変更することが可能となり、使用者の温度設定に合わせた相対的な室内温度調節によって応急運転中の快適性を向上させることができる。
【００１３】
第３の発明は、マイコンによって空気調和機を制御するためのプログラムを記録した媒体であって、室内温度センサの異常を検知する室内温度センサ異常検知ステップと、室内温度センサ異常検知ステップで異常を検知したときに運転を停止する異常停止ステップと、室内温度センサ異常検知ステップで異常を検知したことを表示する室内温度センサ異常表示ステップと、異常停止ステップで運転を停止したときに入力を受け付けて応急運転の開始を判定する応急運転開始判定ステップと、応急運転開始判定ステップで入力を検知して応急運転開始と判定したときに室内温度センサの検出温度を所定温度に置き換える室内温度置換ステップと、リモコンの温度設定に応じて応急運転中の圧縮機回転数を決定する圧縮機回転数決定ステップとを有することにより、室内温度センサ異常発生時に、運転を停止して異常表示を行った後に、スイッチ等の入力により室内温度センサの検出温度を所定の温度に置き換えて応急運転を開始するとともに、リモコンの設定により応急運転中の圧縮機回転数を変更することが可能となり、使用者の温度設定に合わせた相対的な室内温度調節によって応急運転中の快適性を向上させることができる。
【００１４】
以下、本発明の実施の形態について、図面を参照しながら説明する。なお、本実施の形態によって本発明が限定されるものではない。
【００１５】
（実施の形態１）
図１は、本発明の実施の形態１における空気調和機制御装置のハードウェアブロック図、図２は、本発明の実施の形態１におけるマイコンが実行するプログラムのフローチャートであり、運転モードが冷房の時の動作である。
【００１６】
図１において１はマイコン、２はマイコンが実行するプログラム、３は室内温度センサ、４は応急運転スイッチ、５はリモコン、６はＬＥＤ表示、７は圧縮機である。
【００１７】
以下、図２のフローチャートに従いプログラム２の動作を説明する。
【００１８】
マイコン１は、まず、ステップ２０１で室内温度センサ３の異常を検知すると、ステップ２０２で運転を停止し、ステップ２０３で室内温度センサが異常であることをＬＥＤ表示６に表示する。その後、ステップ２０４で応急運転スイッチ４の入力を検知すると、ステップ２０５で室内温度を所定温度（例えば２８℃）に置き換えて応急運転を開始する。そして、ステップ２０６，２０７，２０８でリモコン５で設定された温度設定とステップ２０５で室内温度を置換した温度、即ち所定温度（例えば２８℃）とを比較し、温度設定≧所定温度＋２℃であれば（例えば温度設定≧３０℃）ステップ２０９で圧縮機回転数を０Ｈｚに、所定温度＋２℃＞温度設定≧所定温度であれば（例えば３０℃＞温度設定≧２８℃）ステップ２１０で圧縮機回転数を３０Ｈｚに、所定温度＞温度設定≧所定温度−５℃であれば（例えば２８℃＞温度設定≧２３℃）ステップ２１１で圧縮機回転数を６０Ｈｚに、所定温度−５℃＞温度設定であれば（例えば２３℃＞温度設定）ステップ２１２で圧縮機回転数を９０Ｈｚに決定し、ステップ２０６に戻る。
【００１９】
以上のように、本実施の形態においては、ステップ２０６，２０７，２０８で温度設定と置換後の室内温度とを比較し、ステップ２０９，２１０，２１１，２１２で決定した圧縮機回転数に従って圧縮機７を運転するため、リモコン５の設定により応急運転中の圧縮機回転数を変更することが可能となり、使用者の温度設定に合わせた相対的な室内温度調節によって応急運転中の快適性を向上させることができる。
【００２０】
なお、本実施の形態においてマイコン１は１つに限定されるものではなく、複数のマイコンが機能を分担して必要な情報を通信し上記プログラムを実行しても良い。また、ステップ２０４で検知する入力を応急運転スイッチ４の入力としているが、リモコン５からの応急運転信号入力でも良い。また、ステップ２０６，２０７，２０８での温度設定と置換後の室内温度の比較判定区分、および、ステップ２０９，２１０，２１１，２１２で決定している圧縮機回転数は一例であり、本発明を限定するものではない。
【００２１】
また、本実施の形態は第１の発明の実施の形態であるが、第２，３の発明の内容も含まれる。
【産業上の利用可能性】
【００２２】
以上のように、本発明にかかる空気調和機制御装置および空気調和機制御方法ならびに空気調和機制御プログラムを記録した記録媒体は、室内温度センサ異常発生時の応急運転における使用者の不快感を低減させることが可能となるので、空気調和運転の制御に必要な物理量を検出する各種センサの機能異常発生時の応急運転等の用途にも適用できる。
【図面の簡単な説明】
【００２３】
【図１】本発明の実施の形態１における空気調和機制御装置のハードウェアブロック図
【図２】本発明の実施の形態１における空気調和機制御装置のマイコンが実行するプログラムのフローチャート
【図３】従来の空気調和機制御装置のマイコンが実行するプログラムのフローチャート
【符号の説明】
【００２４】
１  マイコン
２  プログラム
３  室内温度センサ
４  応急運転スイッチ
５  リモコン
６  ＬＥＤ表示
７  圧縮機
【図１】
2006292242.tif 000003
【図２】
2006292242.tif 000004
【図３】
2006292242.tif 000005